(57)【要約】【課題】リールの外周面を洗浄し、図柄の視認性の向上を図る。【解決手段】第１リール１６のフレーム３３に巻かれているリールテープ３４の表面（以下、外周面という。）を洗浄剤が付いたスポンジ４４で洗浄する洗浄装置３１と、洗浄装置３１が洗浄した外周面を乾燥したスポンジ４９で清掃する清掃装置３２とを第１リール１６の周囲に配置する。スポンジ４４，４９は、第１リール１６が回転を開始すると、外周面とスポンジ４４，４９とが接触する接触位置に移動する。このとき、スポンジ４４，４９が接触位置にいる時間はタイマで計時されている。タイマの計時時間が５秒経過すると、洗浄装置３１は、スポンジ４４と外周面とが離れた退避位置にスポンジ４４を移動させる。その後、清掃装置３２は、スポンジ４９を接触位置から退避位置に移動させる。【選択図】図２
2007159786.tif 000002
【特許請求の範囲】
【請求項１】
予め定められた回転開始条件が成立した場合に回転を開始するリールを備えた遊技機において、
前記リールの外周面を洗浄する洗浄剤が付いた洗浄部材と、
前記外周面を清掃する乾燥した清掃部材と、
前記外周面と接触する接触位置と、前記接触位置から離れた退避位置との間で前記洗浄部材及び清掃部材を移動させる移動手段と、
前記洗浄部材及び清掃部材を移動させるための移動条件が成立したことを契機として、前記洗浄部材及び清掃部材の少なくともいずれか一方を前記退避位置から接触位置へ移動させた後、前記接触位置に移動した部材を前記退避位置へ移動させるように前記移動手段を制御する移動制御手段を備えたことを特徴とする遊技機。
【請求項２】
前記移動制御手段は、前記移動条件が成立した時には、前記洗浄部材及び清掃部材を前記退避位置から接触位置へ移動させた後、前記洗浄部材を前記接触位置から退避位置へ移動させてから前記清掃部材を前記接触位置から退避位置へ移動させるように前記移動手段を制御することを特徴とする請求項１記載の遊技機。
【請求項３】
予め定められた遊技中の停止条件が成立したことを契機に、回転する前記リールの停止制御を行うリール停止制御手段を備え、
前記移動制御手段は、前記リールの停止制御が行われたことを移動条件として前記清掃部材を前記退避位置から接触位置へ移動させ、前記リールが停止した後に、前記接触位置に移動した清掃部材を前記退避位置へ移動させるように前記移動手段を制御することを特徴とする請求項１記載の遊技機。
【発明の詳細な説明】
【技術分野】
【０００１】
本発明は、パチンコ店等の遊技場で使用されるスロットマシン、パチンコ機等の遊技機に関し、さらに詳しくは、リールの外周面を清掃可能にした遊技機に関する。
【背景技術】
【０００２】
本明細書中ではスロットマシンを例に挙げて説明しているため、遊技媒体としてメダルを用いて説明するが、遊技媒体としてはコインやパチンコ球その他の媒体も含む。また、「メダル投入」には、実際にメダル投入口にメダルを投入することの他に、クレジットされたメダルをベットボタン等によりベットすることも含む。
【０００３】
パチンコ店等の遊技場に設置して使用されるスロットマシンは、遊技の開始に先立ってメダルを投入し、スタートレバーを操作すると３個のリールが一斉に回転を開始する。そして、それぞれのリールに対応して設けられたストップボタンを順次押圧操作していくと、対応するリールの回転が停止するようになっている。これらのリールの回転及び停止はステッピングモータで行われている。ステッピングモータは、スロットマシンの遊技制御を行う制御装置から供給される駆動パルスの個数に応じた回転角で回転している。制御装置から駆動パルスが供給されると、ステッピングモータは回転を開始し、それに伴ってリールも回転を開始する。また、駆動パルスの供給が停止されるとステッピングモータも回転を停止し、それに伴ってリールの回転も停止する。
【０００４】
リールは、円環状のフレームと、このフレームに巻かれたリールテープとから構成されている。リールテープの外周面には複数種類の図柄が一定ピッチで配列されている。リールは箱型の筐体の内部に収納されている。スロットマシンは、筐体の前面側に回動自在な前面扉を備えており、この前面扉にはリールを視認できるように表示窓が設けられている。遊技者は、遊技を行う時には、表示窓を通して図柄を観察しながら遊技を行い、予め定められた図柄が入賞有効ライン上に停止して当選役が入賞したか否かを確認する。
【０００５】
ところで、リールの材料としては、透光性を有するアクリル等の樹脂材が用いられている。このため、リールを回転動作させているうちに静電気が帯電しやすく、これが原因となってリールテープに汚れが付着しやすいことが問題となっていた。このような問題点を解決するための方法として、リールに除電ブラシを接触させて静電気が帯電することを防止することで汚れの付着を防止した遊技機や（例えば、特許文献１）、リールの外周面を清掃するブラシの他、表示窓をリール側から清掃するブラシを設けておき、汚れを検知した時にリールの外周面及び表示窓の汚れを除去する遊技機が考案されている（例えば、特許文献２）。
【特許文献１】特開平１１−１５６０００号公報
【特許文献２】特開２００５−２３７４４５号公報
【発明の開示】
【発明が解決しようとする課題】
【０００６】
しかしながら、特許文献１に記載されている遊技機の場合には、リールに帯電した静電気を除電することはできるものの、リールに汚れが付着した場合には、その汚れを完全に除去することが困難であるという問題があった。また、特許文献２に記載されている遊技機の場合には、清掃部材をリールの外周面に押し当てて清掃する際、リールに付着した汚れによってはリールの外周面に傷を付ける恐れがあり、これによってリールの視認性を悪化させる恐れがあるという問題があった。
【０００７】
また、前述したように、リールの停止制御はステッピングモータで行われている。しかし、リールは高速で回転されるために回転力が生じており、ステッピングモータの回転を停止してから実際にリールの回転が停止するまでには一定の時間を要する。このため、ステッピングモータの停止とほぼ同時にリールの回転を停止させることが困難であるという問題があった。また、ステッピングモータは、遊技者がストップボタンを押圧操作したことに連動して回転を停止するので、ストップボタンの押圧操作とリールの停止との間にタイムラグが生じると、遊技者に不信感を与えかねないという問題があった。
【０００８】
本発明は、リールの清掃時に、リールの外周面を傷つけることなく清掃することができ、かつストップボタンの押圧操作からリールが停止するまでの時間を短縮する遊技機を提供することを目的とする。
【課題を解決するための手段】
【０００９】
上述したような問題点を解決するため、本発明の遊技機は、予め定められた回転開始条件が成立した場合に回転を開始するリールを備えた遊技機において、前記リールの外周面を洗浄する洗浄剤が付いた洗浄部材と、前記外周面を清掃する乾燥した清掃部材と、前記外周面と接触する接触位置と、前記接触位置から離れた退避位置との間で前記洗浄部材及び清掃部材を移動させる移動手段と、前記洗浄部材及び清掃部材を移動させるための移動条件が成立したことを契機として、前記洗浄部材及び清掃部材の少なくともいずれか一方を前記退避位置から接触位置へ移動させた後、前記接触位置に移動した部材を前記退避位置へ移動させるように前記移動手段を制御する移動制御手段を備えたことを特徴とする。
【００１０】
なお、前記移動制御手段は、前記移動条件が成立した時には、前記洗浄部材及び清掃部材を前記退避位置から接触位置へ移動させた後、前記洗浄部材を前記接触位置から退避位置へ移動させてから前記清掃部材を前記接触位置から退避位置へ移動させるように前記移動手段を制御することが好ましい。
【００１１】
また、予め定められた遊技中の停止条件が成立したことを契機に、回転する前記リールの停止制御を行うリール停止制御手段を備え、前記移動制御手段は、前記リールの停止制御が行われたことを移動条件として前記清掃部材を前記退避位置から接触位置へ移動させ、前記リールが停止した後に、前記接触位置に移動した清掃部材を前記退避位置へ移動させるように前記移動手段を制御することが好ましい。
【００１２】
（請求項中の語句の説明）
「回転開始条件」とは、リールが回転を開始する契機となる条件を意味する。これには、遊技機がパチンコ機の場合には、始動入賞口にパチンコ球が入賞したことが挙げられ、遊技機がスロットマシンの場合には、スタートレバーが操作されたことや、当たりの当選確率が設定されている設定値を変更する設定変更モードにおいて、変更した設定値が確定したこと等が挙げられる。「移動条件」とは、洗浄部材及び清掃部材を退避位置と接触位置との間で移動させる契機となる条件を意味する。例えば、退避位置から接触位置へ洗浄部材及び清掃部材を移動させる条件としては、遊技機の電源が投入されたことや、リールの回転が開始したこと、遊技機がスロットマシンの場合には、前述した設定変更モードにおいて変更した設定値が確定したこと、スタートレバーが操作されたこと等が挙げられる。また、接触位置から退避位置へ洗浄部材及び清掃部材を移動させる条件としては、洗浄部材及び清掃部材が接触位置に移動した後にリールが所定回数回転したことや、或いは、洗浄部材及び清掃部材のいずれか一方が所定時間接触位置にいること等が挙げられる。「停止条件」とは、リールの回転を停止させる契機となる条件を意味する。これには、例えば、リールの回転動作を開始してから所定時間経過したことや、遊技機がスロットマシンの場合には、ストップボタンが押圧操作されたこと等が挙げられる。なお、ストップボタンが押圧操作されたこととは、遊技者がストップボタンを実際に押圧操作した時の他に、ストップボタンが押圧操作されたことを検知するセンサが遊技機の制御装置に検知信号を出力した時点も含む。「停止した後」には、リールが停止した後のみならず、リールが停止した時点も含む。
【発明の効果】
【００１３】
本発明の遊技機によれば、予め定められた回転開始条件が成立した場合に回転を開始するリールを備えた遊技機において、前記リールの外周面を洗浄する洗浄剤が付いた洗浄部材と、前記外周面を清掃する乾燥した清掃部材と、前記外周面と接触する接触位置と、前記接触位置から離れた退避位置との間で前記洗浄部材及び清掃部材を移動させる移動手段と、前記洗浄部材及び清掃部材を移動させるための移動条件が成立したことを契機として、前記洗浄部材及び清掃部材の少なくともいずれか一方を前記退避位置から接触位置へ移動させた後、前記接触位置に移動した部材を前記退避位置へ移動させるように前記移動手段を制御する移動制御手段を備えたから、移動条件が成立すると、洗浄部材及び清掃部材の少なくともいずれか一方が退避位置から接触位置に移動し、リールの外周面に接触する。このとき、洗浄部材及び清掃部材のいずれか、又はこれら両方によってリールの外周面が清掃されるので、外周面の汚れによって図柄の視認性が悪化する等の不都合を解消することが可能になる。
【００１４】
また、前記移動制御手段は、前記移動条件が成立した時には、前記洗浄部材及び清掃部材を前記退避位置から接触位置へ移動させた後、前記洗浄部材を前記接触位置から退避位置へ移動させてから前記清掃部材を前記接触位置から退避位置へ移動させるように前記移動手段を制御するから、洗浄部材によってリールの外周面が洗浄された後に乾燥した清掃部材でリールの外周面が乾拭きされるので、洗浄液が乾いた跡等がリールの外周面に残らないようにすることができ、洗浄したにも関わらずリールの視認性が悪化するような不都合を解消することが可能になる。
【００１５】
また、予め定められた遊技中の停止条件が成立したことを契機に、回転する前記リールの停止制御を行うリール停止制御手段を備え、前記移動制御手段は、前記リールの停止制御が行われたことを移動条件として前記清掃部材を前記退避位置から接触位置へ移動させ、前記リールが停止した後に、前記接触位置に移動した清掃部材を前記退避位置へ移動させるように前記移動手段を制御するから、接触位置に位置付けられた清掃部材はブレーキとしての機能を果たすことになり、回転しているリールを迅速に停止させることができる。したがって、ストップボタンの押圧操作からリールの停止までに要する時間を短くすることができ、遊技者に対して不信感を抱かせずに遊技を行わせることが可能になる。
【発明を実施するための最良の形態】
【００１６】
本発明を適用したスロットマシンの構成について説明する。図１に示すように、スロットマシン１１は、収納箱１２と前面扉１３とからなる筐体１４から構成されている。前面扉１３には表示窓１５が設けられ、表示窓１５の奥側には第１リール１６、第２リール１７、及び第３リール１８が回転自在に組み込まれている。周知のように、第１〜第３リール１６〜１８の外周面には複数種類の図柄が一定ピッチで配列されているリールテープが取り付けられており、リールが停止した状態では表示窓１５を通して１リール当たり３個の図柄が観察できるようになっている。
【００１７】
また、スロットマシン１１には、第１〜第３リール１６〜１８の図柄を１個ずつ組み合わせた直線状の入賞有効ラインが横３本と斜め２本との合計５本設定される。遊技の開始に先立ってメダル投入口１９から１枚のメダルを投入した時には、中央の横１本の入賞有効ラインが有効化される。また、メダル投入口１９に投入されたメダルが２枚の場合には横３本、メダルが３枚の場合には横３本と斜め２本の合計５本の入賞有効ラインが有効化される。メダルは５０枚を限度にクレジット（貯留）することができる。
【００１８】
スタートレバー２０は遊技の開始操作を行うものであり、これを操作すると第１〜第３リール１６〜１８が回転を開始する。第１〜第３ストップボタン２１〜２３は第１〜第３リール１６〜１８に個別に対応しており、これら第１〜第３ストップボタン２１〜２３の操作に応じて回転している第１〜第３リール１６〜１８が個別に停止される。第１〜第３ストップボタン２１〜２３の上方の操作パネルには、メダルがクレジットされた状態で遊技を行うときに操作され、１枚掛けの遊技を行う１ベットボタン、３枚掛けの遊技を行うＭＡＸベットボタン、ペイアウトボタンなどの各種操作ボタンが設けられている。これらの操作ボタンの機能はいずれも周知であるので、その詳細については省略する。
【００１９】
前面扉１３の下部にはメダル受け皿２４が設けられている。このメダル受け皿２４には、遊技で入賞が得られたときに遊技者が獲得する配当メダルが払出し口２５から払い出される。
【００２０】
次に、第１〜第３リール１６〜１８並びに各リールの周囲に個別に配置されている洗浄装置３１及び清掃装置３２の構成について説明する。なお、第１〜第３リール１６〜１８はそれぞれ同じ構造であるため、図２においては、第１リール１６並びに第１リール１６の周囲に配置されている洗浄装置３１及び清掃装置３２を例に挙げて説明する。
【００２１】
図２に示すように、第１リール１６は、円環状のフレーム３３と、フレーム３３に巻かれたリールテープ３４とを備えている。なお、以下においては、フレーム３３に巻かれたリールテープ３４の表面のことを第１リール１６の外周面という。フレーム３３は、例えばプラスチックやアクリル等の樹脂材で形成されている。フレーム３３の内側には、その幅方向の一方の端部に位置するように４本のスポーク３５が形成されており、各スポーク３５が交わる中央部には軸が設けられている。この軸の中心には、駆動モータ３６の図示しない回転軸が接続されており、駆動モータ３６の回転動作に伴って、第１リール１６の回転動作及び停止動作が行われるようになっている。この駆動モータ３６としては、入力されるパルス数に比例した回転角度が得られるステッピングモータが用いられている。ベース部材３７は、収納箱１２の内部に設けられた板状の台座１２ａの上面に載せられて固定されている。
【００２２】
洗浄装置３１は、ソレノイド４１及び噴射装置４２が収納ケース４３に収納されて構成されており、第１リール１６の下方に設けられている。ソレノイド４１は駆動軸４１ａを有している。この駆動軸４１ａは、先端にスポンジ４４が接着されている。ソレノイド４１は、後述するドライバ６６から出力される駆動信号に基づいて、第１リール１６の外周面と接触する接触位置（図５に示す位置）と、この接触位置から離れた退避位置（図２に示す位置）との間でスポンジ４４を移動させる。スポンジ４４は、後述する噴射装置４２から噴射される洗浄液が浸透する材料で形成されている。このスポンジ４４は、第１リール１６の外周面の幅と同じ幅を有するように形成されており、スポンジ４４が接触位置にいる時は第１リール１６の外周面の全幅を洗浄するようになっている。
【００２３】
噴射装置４２は、タンク４５及びノズル４６のほか、図示しない噴射機構を有している。タンク４５は、図２においては収納ケース４３の右側に収納される。このタンク４５には洗浄剤が予め注入されており、上部に設けられているノズル４６から洗浄剤が噴射されるように構成されている。ノズル４６は、先端がスポンジ４４の表面（上面）に向くように形成されており、スポンジ４４の表面に洗浄液が噴射されるようになっている。
【００２４】
収納ケース４３は、ソレノイド４１及び噴射装置４２を収納するように形成されている。この収納ケース４３は台座１２ａの下面にネジ止めされている。台座１２ａには開口が形成されており、収納ケース４３が取り付けられた際に噴射装置４２及びスポンジ４４と、台座１２ａとが干渉しないように形成されている。
【００２５】
清掃装置３２は、ソレノイド４７が収納ケース４８に収納されて構成されており、第１リール１６の後方に設けられている。ソレノイド４７は、先端にスポンジ４９が取り付けられている駆動軸４７ａを有している。ソレノイド４７は、後述するドライバ６７から出力される駆動信号に基づいて、第１リール１６の外周面と接触する接触位置（図５に示す位置）と、この接触位置から離れた退避位置（図２に示す位置）との間でスポンジ４９を移動させる。スポンジ４９は、前述したスポンジ４４と同様の材質のもので形成され、乾燥した状態で使用される。スポンジ４９は、第１リール１６の外周面の幅と同じ幅を有するように形成されており、スポンジ４９が接触位置にいる時は第１リール１６の外周面の全幅を乾拭きにより清掃するようになっている。
【００２６】
収納ケース４８は、ソレノイド４７を収納するように形成されている。この収納ケース４８は、台座１２ａと天板１２ｂとの間に取り付けられている固定板５０に固定されている。この固定板５０には開口が形成されており、収納ケース４８が固定された際にスポンジ４９と固定板５０とが干渉しないように形成されている。
【００２７】
筐体１４の内部には、スロットマシン１１の遊技動作等の各種動作を制御する制御装置６１が設けられている。制御装置６１には、スタートレバー２０が操作されたことを検知した時にスタート信号を出力するスタートセンサ６２、タイマ６３及びドライバ６４〜６７が接続されている。スタートセンサ６２は、スタートレバー２０が操作されたことを検知するとスタート信号を制御装置６１に出力する。制御装置６１は、スタート信号を受けると、第１リール１６の回転を開始する契機となる条件（回転開始条件）が成立したと判断し、後述するドライバ６４に回転信号を出力する。タイマ６３は、スタートレバー２０が操作された後の時間を計時する。制御装置６１は、スタート信号を受けるとタイマ６３に計時開始信号を出力する。
【００２８】
タイマ６３は、この計時開始信号を受けると計時を開始する。計時を行っている時は、制御装置６１は一定の周期で計時の状況を確認しており、計時開始から５秒経過した時点でタイマ６３にリセット信号を出力する。リセット信号を受けたタイマ６３は計時を停止と計時した時間のリセットを行う。
【００２９】
ドライバ６４は、一端が制御装置６１と、他端が駆動モータ３６と接続している。制御装置６１から回転信号が出力されると、ドライバ６４は、駆動モータ３６に電力を供給して駆動モータ３６を作動させる。また、制御装置６１から停止信号が出力されると、ドライバ６４は、駆動モータ３６への電力の供給を遮断し、駆動モータ３６を停止させる。
【００３０】
ドライバ６５は、一端が制御装置６１と、他端が噴射装置４２と接続されている。制御装置６１は、スタート信号の出力を受けると、前述した回転開始条件の他、スポンジ４４を退避位置から接触位置へ移動させるための条件（移動条件）が成立したと判断し、ドライバ６５へ噴射制御信号を出力する。制御装置６１から噴射開始信号が出力されると、ドライバ６５は噴射装置４２へ噴射信号を出力する。噴射装置４２は、噴射信号の出力を受けると図示しない噴射機構を作動させ、タンク４５に注入されている洗浄液をノズル４６から噴射する。また、噴射装置４２が洗浄液を噴射している時に、制御装置６１からドライバ６５へ噴射停止信号が出力されると、ドライバ６５は噴射装置４２へ噴射停止信号を出力する。噴射装置４２は、噴射停止信号を受けると洗浄液の噴射を停止する。
【００３１】
ドライバ６６は、一端が制御装置６１と、他端がソレノイド４１と接続されている。制御装置６１は、スタート信号の出力を受けると、前述した回転開始条件の他、スポンジ４４を退避位置から接触位置へ移動させるための条件（移動条件）が成立したと判定してドライバ６６へオン信号を出力する。制御装置６１からオン信号が出力されると、ドライバ６６はソレノイド４１へ接触信号を出力する。このとき、ソレノイド４１は駆動軸４１ａを押し出して、スポンジ４４を退避位置から接触位置へ移動させる。一方、制御装置６１からオフ信号が出力されると、ドライバ６６はソレノイド４１へ退避信号を出力する。このとき、ソレノイド４１は駆動軸４１ａを引き込んで、スポンジ４４を接触位置から退避位置へ移動させる。
【００３２】
ドライバ６７は、一端が制御装置６１と、他端がソレノイド４７と接続されている。制御装置６１は、スタート信号の出力を受けると、前述した回転開始条件の他、スポンジ４９を退避位置から接触位置へ移動させるための条件（移動条件）が成立したと判定して、ドライバ６７へオン信号を出力する。制御装置６１からオン信号が出力されると、ドライバ６７はソレノイド４７へ接触信号を出力する。このとき、ソレノイド４７は駆動軸４７ａを押し出して、スポンジ４９を退避位置から接触位置へ移動させる。一方、制御装置６１からオフ信号が出力されると、ドライバ６７はソレノイド４７へ退避信号を出力する。このとき、ソレノイド４７は駆動軸４７ａを引き込んで、スポンジ４９を接触位置から退避位置へ移動させる。
【００３３】
次に、第１リール１６を清掃する際の処理の流れについて説明する。なお、本実施形態では、第１〜第３リール１６〜１８は同様の動作を行うので、第１リール１６の動作についてのみ説明する。なお、本実施形態では、遊技中においてスタートレバー２０が操作された時にリールの清掃を行うものとして説明するが、リールの清掃をするのは、遊技中に限定されるものではない。例えば、当選役抽選の当選確率を変更する場合、「１」から「６」までの設定値を変更した後にスタートレバー２０を操作して変更した数値を確定する時にリールを回転させて清掃するようにしてもよい。
【００３４】
図３に示すように、遊技開始時にスタートレバー２０を操作するとスタートセンサ６２から制御装置６１にスタート信号が出力される。このスタート信号を受けた制御装置６１は、前述した回転開始条件が成立したものと判断して、ドライバ６４への回転信号の出力、ドライバ６５への噴射制御信号の出力、及びタイマ６３への計時開始信号の出力を同時に行う。回転信号を受けたドライバ６４は、駆動モータ３６へ給電を開始し、第１リール１６を回転させる。このとき、駆動モータ３６は、第１リール１６を予め定めた回転速度まで加速する。
【００３５】
噴射制御信号を受けたドライバ６５は、図４に示すように、噴射装置４２に噴射信号を出力して洗浄剤をスポンジ４４に吹き付けさせ、スポンジ４４を洗浄液が付いた状態にする。この後、制御装置６１はドライバ６６，６７へオン信号を出力する。オン信号を受けたドライバ６６，６７はソレノイド４１，４７に接触信号を出力する。そして、図５に示すように、駆動軸４１ａ，４７ａをそれぞれＡ方向、Ｂ方向に移動させて、スポンジ４４，４９を退避位置から接触位置へ移動させる。これにより、洗浄液が付いたスポンジ４４によって第１リール１６の外周面を拭き取って汚れを除去し、乾燥したスポンジ４９によって洗浄液が付着した第１リール１６の外周面を乾拭きすることができ、第１リール１６の外周面に描かれている図柄の視認性を良好な状態に維持することができる。
【００３６】
次に、制御装置６１は、タイマ６３による計時を開始してから５秒経過したか否かを一定の周期で判定する。ここで、制御装置６１は、タイマ６３による計時を開始してから５秒経過したと判定した場合にはドライバ６６にオフ信号を出力する。オフ信号を受けたドライバ６６はソレノイド４１に退避信号を出力する。そして、図６に示すように駆動軸４１ａをＣ方向に移動させてスポンジ４４を接触位置から退避位置へ移動させ、スポンジ４４による第１リール１６の外周面の拭き取りを終了させる。次に、制御装置６１は、スポンジ４４が第１リール１６と接触する地点と、スポンジ４９が第１リール１６と接触する地点との間隔に相当する距離だけ第１リール１６が回転したかを一定の周期で判定する。なお、この判定は、例えば図示しないインデックスと、インデックスの通過を検知するフォトセンサを設けておき、インデックスが通過した時点から駆動モータ３６のステップ数をカウントすることにより判定すればよい。
【００３７】
このような判定を行った後、制御装置６１は、前述した距離だけ第１リール１６が回転していないと判定した場合には、スポンジ４４を退避位置に、スポンジ４９を接触位置に移動させた状態を維持し、スポンジ４４によって拭き取られた第１リール１６の外周面をスポンジ４９で乾拭きする。これにより、スポンジ４４によって洗浄された第１リール１６の外周面は確実にスポンジ４９で乾拭きされる。したがって、第１リール１６の外周面に洗浄剤が乾いた跡等が残らないようにすることができ、スポンジ４４で洗浄したことにより、却って第１リール１６の外周面の視認性が悪化するような不都合を防止することができる。
【００３８】
一方、当該距離だけ第１リール１６が回転したと判定した場合には、ドライバ６７にオフ信号を出力する。このオフ信号を受けたドライバ６７はソレノイド４７に退避信号を出力する。そして、図２に示すように駆動軸４７ａをＤ方向に移動させてスポンジ４９を接触位置から退避位置へ移動させ、スポンジ４９による第１リール１６の外周面の乾拭きを終了させる。
【００３９】
なお、本実施形態では、遊技開始時においてスタートレバー２０が操作されたことを移動条件として設定しているが、移動条件はスタートレバー２０の操作に限定されるものではない。例えば、遊技開始後、第１ストップボタンの押圧操作が有効化される速度に第１リール１６の回転速度が達したことを移動条件としても良いし、これ以外のものを移動条件としても良い。また、この移動条件は、スロットマシン１１の電源が投入されたことや、スロットマシン１１での遊技が行われる遊技モード下での操作のみならず、当たりの当選確率を変更する設定変更モード下での操作を移動条件にしてもよい。なお、設定変更モード下で移動条件を設定する場合には、移動条件を満たす操作を行った後に第１リール１６を回転させるように設定すればよい。
【００４０】
また、リールの洗浄及び清掃は遊技が開始される毎に行ってもよいし、１０ゲーム毎のように、ゲーム数を区切って清掃するようにしてもよい。また、ゲーム数ではなく、リールの外周面の汚れ具合を見て適宜リールの清掃を行うようにしてもよい。この場合には、リールの汚れ具合を確認するセンサ等を設ければよい。また、スポンジ４４，４９を退避位置から接触位置に移動させる時間は５秒に限定されるものではなく、これ以外の時間でもよい。また、スポンジ４４，４９を接触位置に移動させる条件としては、スポンジ４４，４９を接触位置に位置付けた時間のみならず、第１リール１６の回転数であってもよい。
【００４１】
また、本実施形態では、スポンジ４４，４９の両方を使用して第１リール１６の外周面を洗浄及び清掃することとしているが、スポンジ４４，４９のいずれか一方のみを使用して第１リール１６の外周面を洗浄又は清掃するようにしてもよい。
【００４２】
次に、本実施形態の変形例について説明する。なお、本実施形態のスロットマシン１１と構成が同じ部分についてはその説明を省略する。図７に示すように、制御装置７１には第１ストップボタン２１の押圧操作を検知する第１ストップボタンセンサ７２及びタイマ７３が接続されている。第１ストップボタンセンサ７２は、第１ストップボタン２１が押圧操作されたことを検知すると、ストップ検知信号を制御装置７１に出力する。制御装置７１は、ストップ検知信号を受けると、ドライバ６４へ停止信号を出力して駆動モータ３６を停止させる。タイマ７３は、第１リール１６が回転している時間を計時する。スタートセンサ６２からスタート信号が出力されると、制御装置７１はタイマ７３に計時開始信号を出力する。この計時開始信号を受けると、タイマ７３は計時を開始する。制御装置７１は、計時開始からの時間を一定の周期で確認している。制御装置７１は、第１ストップボタン２１が押圧操作されるか、又はタイマ７３による計時が計時開始から３０秒経過するとタイマ７３にリセット信号を出力する。リセット信号を受けたタイマ７３は、計時を停止して、計時した時間をリセットする。
【００４３】
次に、本変形例の動作について説明する。なお、第１〜第３リール１６〜１８の回転及び停止動作は同じであるから、ここでは第１リール１６の回転及び停止動作について説明する。図８に示すように、スタートセンサ６２からスタート信号が制御装置７１に出力されると、制御装置７１はドライバ６４に回転信号を出力する。回転信号を受けたドライバ６４は駆動モータ３６に電力を供給し、第１リール１６を回転させて遊技を開始する。そして、制御装置７１は、第１ストップボタン２１が押圧操作されたか否かを第１ストップボタンセンサ７２からストップ検知信号が出力されたか否かによって判定し、第１ストップボタン２１が押圧操作されていないと判定するとタイマ７３による計時開始から３０秒経過したか否かを判定する。ここで、制御装置７１は、タイマ７３の計時結果が計時開始から３０秒経過していないと判定した場合には、第１ストップボタン２１が押圧操作されたか、又は計時開始から３０秒経過したかを一定の周期で判定する。
【００４４】
制御装置７１は、上記の判定で、第１ストップボタン２１が押圧操作されたか、又はタイマ７３による計時結果が計時開始から３０秒経過したと判定した場合には、ドライバ６４に停止制御信号を出力して、駆動モータ３６を停止させる。そして、それと同時にドライバ６７へオン信号を出力する。オン信号の出力を受けたドライバ６７は、ソレノイド４７へ接触信号を出力してスポンジ４９を接触位置に移動させ、スポンジ４９を第１リール１６の外周面と接触させた状態にする。このとき、スポンジ４９は、第１リール１６を停止させる際のブレーキとしての役割を果たす。これにより、遊技者が第１ストップボタン２１を押圧操作してから実際に第１リール１６が停止するまでに要する時間を短縮することができ、「リール停止時に不正な制御を行っているのではないか。」等のような不信感を遊技者に抱かせることなく遊技を行わせることができる。
【００４５】
これらの処理を行った後は、制御装置７１は、第１リール１６が停止したか否かを一定の周期で判定する。ここで、第１リール１６が停止したと判定した場合には、制御装置７１は、ドライバ６７へ駆動制御信号を再度出力し、接触位置から退避位置へスポンジ４９を移動させるようにソレノイド４７へ接触信号を出力させる。
【００４６】
なお、本変形例では、駆動モータ３６の停止動作と同時にスポンジ４４を退避位置から接触位置に移動させるようにしているが、これ以外のタイミングでもよい。また、本変形例では、清掃装置３２のスポンジ４４のみを使用することとしているが、清掃装置３２の替わりに洗浄装置３１のスポンジ４４を使用してもよいし、洗浄装置３１及び清掃装置３２のスポンジ４４の両方を使用してもよい。
【００４７】
また、本実施形態では、本発明をスロットマシンに適用した例について説明したが、本発明はスロットマシンのみならず、パチンコ機のようなスロットマシン以外の遊技機にも適用することが可能である。
【図面の簡単な説明】
【００４８】
【図１】スロットマシンの外観の構成を表した外観斜視図である。
【図２】第１リール、洗浄装置及び清掃装置の構成、並びにスロットマシンの電気的構成を説明した説明図である。
【図３】リールを清掃する際における処理の流れを表したフローチャートである。
【図４】噴射装置が洗浄液をスポンジに噴射しているところを表した説明図である。
【図５】洗浄装置及び清掃装置のスポンジを退避位置から接触位置に位置付けたところを表した説明図である。
【図６】洗浄装置のスポンジを接触位置から退避位置に移動させたところを表した説明図である。
【図７】本発明を適用したスロットマシンの変形例の第１リール、洗浄装置及び清掃装置の構成、並びにスロットマシンの電気的構成を説明した説明図である。
【図８】変形例のスロットマシンの処理の流れを表したフローチャートである。
【符号の説明】
【００４９】
１１  スロットマシン（遊技機）
１６  第１リール（リール）
１７  第２リール（リール）
１８  第３リール（リール）
３１  洗浄装置
３２  清掃装置
４１，４７  ソレノイド（移動手段）
４１ａ，４７ａ  駆動軸
４４，４９  スポンジ（洗浄部材、清掃部材）
６１，７１  制御装置（移動制御手段、リール停止制御手段）
６６，６７  ドライバ
【図１】
2007159786.tif 000003
【図２】
2007159786.tif 000004
【図３】
2007159786.tif 000005
【図４】
2007159786.tif 000006
【図５】
2007159786.tif 000007
【図６】
2007159786.tif 000008
【図７】
2007159786.tif 000009
【図８】
2007159786.tif 000010